(57)【要約】【課題】登録された駐車場予約の内容と、実際駐車されている状況との間の乖離を特定する。【解決手段】駐車管理システムは、移動端末及びサーバ装置を備える。移動端末は、ユーザ情報を記憶するユーザ情報記憶部と、駐車区画に関連付けられたコードから駐車区画の識別情報を読み取る読み取り部と、所定の入力に基づいて、車両の駐車開始日時又は駐車終了日時を特定する時間特定部と、記憶されたユーザ情報と、読み取られた識別情報と、特定された時間を含む駐車情報をサーバ装置に送信する送信部とを有する。サーバ装置は、駐車区画の予約情報を記憶する駐車情報記憶部と、移動端末から駐車情報を受信する受信部と、予約情報と、駐車情報とに基づいて、駐車区画への車両の駐車が予約内容に従っているか否かを判定する判定部とを有する。【選択図】図５
2018160190.tif 000002
【特許請求の範囲】
【請求項１】
移動端末及びサーバ装置を備えた駐車管理システムであって、
前記移動端末は、
ユーザ情報を記憶するユーザ情報記憶部と、
駐車区画に関連付けられたコードから前記駐車区画の識別情報を読み取る読み取り部と、
所定の入力に基づいて、車両の駐車開始日時又は駐車終了日時を特定する時間特定部と、
前記記憶されたユーザ情報と、前記読み取られた識別情報と、前記特定された時間を含む駐車情報を前記サーバ装置に送信する送信部と、
を有し、
前記サーバ装置は、
前記駐車区画の予約情報を記憶する駐車情報記憶部と、
前記移動端末から前記駐車情報を受信する受信部と、
前記予約情報と、前記駐車情報とに基づいて、前記駐車区画への車両の駐車が予約内容に従っているか否かを判定する判定部と、
を有する、駐車管理システム。
【請求項２】
前記サーバ装置は、
前記駐車情報を使用して前記駐車区画に対する駐車料金を算出する算出部と、
前記算出された駐車料金を前記移動端末へ通知する料金通知部と
を有する、請求項１に記載の駐車管理システム。
【請求項３】
前記サーバ装置は、前記判定部により前記駐車区画への駐車が予約内容に従っていないと判定されたときに、前記移動端末へ通知を行う予約外駐車通知部を有する、請求項１又は２に記載の駐車管理システム。
【請求項４】
前記時間特定部は、前記読み取り部による読み取りに基づいて、前記駐車開始日時又は前記駐車終了日時を特定する、請求項１から３のいずれか一項に記載の駐車管理システム。
【請求項５】
前記移動端末は、
センサ部を有し、
前記時間特定部は、前記センサ部によるセンシングの結果に基づいて、前記駐車開始日時又は前記駐車終了日時を特定する、請求項１から３のいずれか一項に記載の駐車管理システム。
【請求項６】
前記移動端末は、
前記時間特定部は、車両から受信した車両信号に基づいて、前記駐車開始日時又は前記駐車終了日時を特定する、請求項１から３のいずれか一項に記載の駐車管理システム。
【請求項７】
駐車区画に関連付けられた前記コードは、二次元コード画像である、請求項１から６のいずれか一項に記載の駐車管理システム。
【請求項８】
移動端末及びサーバ装置を備えた駐車管理システムにおいて実施される駐車管理方法であって、
前記移動端末が、
ユーザ情報を記憶することと、
駐車区画に関連付けられたコードから前記駐車区画の識別情報を読み取ることと、
所定の入力に基づいて、車両の駐車開始日時又は駐車終了日時を特定することと、
前記記憶されたユーザ情報と、前記読み取られた識別情報と、前記特定された時間を含む駐車情報を前記サーバ装置に送信することと、
を有し、
前記サーバ装置が、
前記駐車区画の予約情報を記憶することと、
前記移動端末から前記駐車情報を受信することと、
記憶された前記予約情報と、受信された前記駐車情報とに基づいて、前記駐車区画への車両の駐車が予約内容に従っているか否かを判定することと、
を有する、駐車管理方法。
【発明の詳細な説明】
【技術分野】
【０００１】
本発明は、駐車管理システム及び駐車管理方法に関する。
【背景技術】
【０００２】
駐車場における車両の駐車の管理を行うコンピュータシステムが知られている。特許文献１には、駐車場に設置されたカメラにより、出入庫する車両のナンバーを認識し、当該ナンバーごとに駐車場に出入庫された車両の情報の管理を行う駐車管理システムが開示されている。
【先行技術文献】
【特許文献】
【０００３】
【特許文献１】特開２０１４−２２２４７７号公報
【発明の概要】
【発明が解決しようとする課題】
【０００４】
従来の駐車管理システムにおいて、登録された駐車場予約の内容と、実際駐車されている状況との間に乖離がある場合に、それを特定していない。また、従来技術では、例えば、駐車場などにカメラを設置しなければならず、設置のためのコストがかかっていた。
【０００５】
本発明は、上記に鑑みてなされたものである。本発明の課題は、登録された駐車場予約の内容と、実際駐車されている状況との間の乖離を特定するための技術を、駐車場側に高価なセンサやデバイスをせずに安価に提供することにある。
【課題を解決するための手段】
【０００６】
本発明に係る駐車管理システムは、移動端末及びサーバ装置を備え、前記移動端末は、ユーザ情報を記憶するユーザ情報記憶部と、駐車区画に関連付けられたコードから前記駐車区画の識別情報を読み取る読み取り部と、所定の入力に基づいて、車両の駐車開始日時又は駐車終了日時を特定する時間特定部と、前記記憶されたユーザ情報と、前記読み取られた識別情報と、前記特定された時間を含む駐車情報を前記サーバ装置に送信する送信部と、を有し、前記サーバ装置は、前記駐車区画の予約情報を記憶する駐車情報記憶部と、前記移動端末から前記駐車情報を受信する受信部と、前記予約情報と、前記駐車情報とに基づいて、前記駐車区画への車両の駐車が予約内容に従っているか否かを判定する判定部と、を有する。
【０００７】
本発明に係る駐車管理方法は、移動端末及びサーバ装置を備え、前記移動端末が、ユーザ情報を記憶することと、駐車区画に関連付けられたコードから前記駐車区画の識別情報を読み取ることと、所定の入力に基づいて、車両の駐車開始日時又は駐車終了日時を特定することと、前記記憶されたユーザ情報と、前記読み取られた識別情報と、前記特定された時間を含む駐車情報を前記サーバ装置に送信することと、を有し、前記サーバ装置が、前記駐車区画の予約情報を記憶することと、前記移動端末から前記駐車情報を受信することと、記憶された前記予約情報と、受信された前記駐車情報とに基づいて、前記駐車区画への車両の駐車が予約内容に従っているか否かを判定することと、を有する。
【発明の効果】
【０００８】
本発明によれば、登録された駐車場予約の内容と、実際駐車されている状況との間の乖離を特定するための技術を、駐車場側に高価なセンサやデバイスをせずに安価に提供することができる。
【図面の簡単な説明】
【０００９】
【図１】一実施形態に係る駐車管理システムの概略構成の例を示す図である。
【図２】一実施形態に係る携帯端末の機能構成の例を示す図である。
【図３】一実施形態に係る駐車区画の例を示す図である。
【図４】一実施形態に係るサーバ装置の機能構成の例を示す図である。
【図５】一実施形態に係る駐車管理システムにおける処理フローの例を示す図である。
【図６】一実施形態に係る駐車管理システムにおける処理フローの例を示す図である。
【図７】一実施形態に係る駐車管理システムにおける処理フローの例を示す図である。
【図８】一実施形態に係る駐車管理システムにおける処理フローの例を示す図である。
【図９】一実施形態に係る駐車管理システムにおける処理フローの例を示す図である。
【図１０】一実施形態に係る駐車管理システムにおける処理フローの例を示す図である。
【図１１】一実施形態に係る駐車管理システムにおける処理フローの例を示す図である。
【図１２】一実施形態に係る駐車管理システムにおける処理フローの例を示す図である。
【図１３】一実施形態に係る駐車管理システムにおける処理フローの例を示す図である。
【図１４】一実施形態に係る駐車管理システムにおける処理フローの例を示す図である。
【図１５】一実施形態に係る駐車管理システムにおける処理フローの例を示す図である。
【図１６】一実施形態に係る駐車管理システムにおける処理フローの例を示す図である。
【図１７】一実施形態に係る駐車管理システムにおける処理フローの例を示す図である。
【発明を実施するための形態】
【００１０】
以下、本発明の実施形態について、図面を参照しつつ詳細に説明する。ただし、発明の範囲をこれらに限定するものではない。
【００１１】
１．ハードウェア構成
図１を参照して、一実施形態に係る駐車管理システムのハードウェア構成の例について説明する。駐車管理システム１は、駐車場における車両の駐車（入庫及び出庫）の管理を行うためのコンピュータシステムである。駐車管理システム１は、サーバ装置１０、携帯端末２０及び車両３０を主に含む。携帯端末２０及び車両３０は、ネットワークＮを介してサーバ装置１０と相互に通信することができる。また、携帯端末２０は、（例えば、Bluetooth（登録商標）やＷｉ−Ｆｉ（登録商標）等により）車両３０と相互に通信することができる。駐車管理システム１は、携帯端末２０を携帯するユーザが運転する車両３０の駐車場への駐車の管理のための各種サービスを当該ユーザ及び駐車場のオーナーに対して提供することができる。なお、図１において、駐車管理システム１は、携帯端末２０及び車両３０をそれぞれ１つ含むことが示されているが、駐車管理システム１は、携帯端末２０及び車両３０をそれぞれ複数含むことができる。
【００１２】
ネットワークＮは、サーバ装置１０と、携帯端末２０及び車両３０との間で情報を送受信するための通信回線である。ネットワークＮは、例えば、インターネット、パケット通信網、電話回線、その他の通信回線、それらの組み合わせ等のいずれであってもよく、有線であるか無線であるか（もしくはこれらの組み合わせであるか）を問わない。
【００１３】
サーバ装置１０は、専用又は汎用のコンピュータなどの情報処理装置により構成される。なお、サーバ装置１０は、単一の情報処理装置より構成されるものであっても、ネットワーク上に分散した複数の情報処理装置より構成されるものであってもよい。
【００１４】
また、サーバ装置１０は、制御部１１、通信部１２、及び記憶部１３を主に備える。制御部１１は、ＣＰＵ（Ｃｅｎｔｒａｌ  Ｐｒｏｃｅｓｓｉｎｇ  Ｕｎｉｔ）１１ａ及びメモリ１１ｂを主に備えて構成される。各構成の説明は後述する。サーバ装置１０は、例えば、ＣＰＵ１１ａがメモリ１１ｂ等に格納された所定のプログラムを実行することにより、各種の機能実現手段として機能する。なお、図１には、サーバ装置１０が備える主要な構成が示されているにすぎず、サーバ装置１０は、一般的な情報処理装置が備える他の構成も備える。
【００１５】
制御部１１は、サーバ装置１０の各種構成の動作を制御し、また、各種処理の実行を制御する。制御部１１において実行される処理の例の詳細は後述する。通信部１２は、外部装置と通信するための通信インタフェースである。記憶部１３は、ハードディスク等の記憶装置によって構成される。記憶部１３は、サーバ装置１０における処理の実行に必要な各種プログラムや各種の情報を記憶する。
【００１６】
携帯端末２０は、例えば、携帯電話機（スマートフォンを含む）、タブレット端末、ＰＤＡ（Personal Digital Assistants）、ナビゲーション装置、パーソナルコンピュータなどの移動可能な情報処理装置（移動端末装置）である。携帯端末２０は、制御部２１、通信部２２、記憶部２３、操作部２４、表示部２５、カメラ２６、センサ２７、及びマイク２８を主に備えて構成される。制御部２１は、ＣＰＵ２１ａ及びメモリ２１ｂを主に備えて構成される。携帯端末２０は、例えば、ＣＰＵ２１ａがメモリ２１ｂ等に格納された所定のプログラムを実行することにより、各種の機能実現手段として機能する。
【００１７】
制御部２１は、携帯端末２０の各種構成の動作を制御し、また、各種処理の実行を制御する。制御部２１において実行される処理の例の詳細は後述する。通信部２２は、外部装置と通信するための通信インタフェースである。記憶部２３は、半導体記憶部等の記憶装置によって構成される。記憶部２３は、携帯端末２０における処理の実行に必要な各種プログラムや各種の情報を記憶する。操作部２４は、ユーザからの操作指示を受け付けるためのユーザインタフェースである。表示部２５は、携帯端末２０による処理結果を表示するためのユーザインタフェースである。カメラ２６は、静止画又は動画を撮像可能な装置である。
【００１８】
センサ２７は、各種のセンサにより構成される。センサ２７は、例えば、ジャイロセンサ、加速度センサ、地磁気センサ、音声センサ及び／又はイメージセンサ等を含み得る。マイク２８は、携帯端末２０を装着するユーザが発する声／音を電気信号に変換することにより、音声情報を取得する装置である。
【００１９】
車両３０は、駐車場に駐車しうる任意の車両である。車両３０は、携帯端末２０のユーザにより運転される。車両３０は、携帯端末２０のハードウェア構成として図１に示した制御部２１、通信部２２、記憶部２３、操作部２４、表示部２５、カメラ２６、及びセンサ２７と同様のハードウェア構成を備える。車両３０が備えるこれらの構成を車載端末として特定することができる。車両３０は一般的な車両が備える構成をさらに備える。
【００２０】
以上のように本実施形態において、駐車管理システム１は、サーバ装置１０、携帯端末２０及び車両３０を含むがこれに限定せず、任意の装置を含むことができる。また、サーバ装置１０、携帯端末２０及び車両３０が有する構成の一部を有する構成を駐車管理システム１として把握することもできる。
【００２１】
２．機能構成
一実施形態に係る駐車管理システムが有する各装置の機能構成の例について説明する。まず、図２を参照して、携帯端末２０の機能構成について説明する。携帯端末２０は、主な機能構成として、データベース２１０、読み取り部２１１、測位部２１２、駐車判定部２１３、送信部２１４、受信部２１５、及び通知部２１６を備える。携帯端末２０は、例えば、ＣＰＵ２１ａがメモリ２１ｂ等に格納された所定のプログラムを実行し携帯端末２０のハードウェアと協働することにより、図２に示す各機能構成を実現する。以下に各機能構成の詳細を説明する。
【００２２】
データベース２１０は、携帯端末２０において実行される処理に必要な情報、及び当該処理により生成された情報など、各種情報を記憶する。データベース２１０は、例えば、携帯端末２０のユーザＩＤなどのユーザ情報や、携帯端末２０にインストールされたアプリケーションプログラムのデータを記憶する。
【００２３】
読み取り部２１１は、カメラ２６等を介して認識されたコードから、各駐車区画に対応付けられた位置情報（駐車区画の識別情報）を読み取ることができる。例えば、駐車場における各駐車区画にカメレオンコードやＱＲコード(登録商標)などの２次元コード（２次元コード画像）が貼られている。ユーザが携帯端末２０を操作してカメラ２６により２次元コードを撮像したときに、読み取り部２１１は、カメラ２６により取得された当該コード画像から、駐車区画の識別情報を読み取る（取得する）ことができる。各駐車区画に貼られたコードには、貼られた駐車区画についてのコード化された位置情報（又は、駐車区画の識別情報）が含まれている。従って、読み取り部２１１は、駐車区画に関連付けられたコードから位置情報又は駐車区画の識別情報を読み取ることができる。
【００２４】
図３を参照して、駐車区画に貼られたコードの例を説明する。図３には、駐車場４０は、駐車区画４１、４２及び４３を含み、各駐車区画に対応付けられて、２次元コード４１ａ、４２ａ及び４３ａが貼りつけられていることが示されている。２次元コード４１ａ、４２ａ及び４３ａのそれぞれには、駐車区画４１、４２又は４３を識別する情報（例えば駐車区画の位置情報）が符号化されている。例えば、車両３０を駐車区画４１に入庫した携帯端末２０のユーザは、携帯端末２０のカメラ２６により２次元コード４１ａを撮像したときに、読み取り部２１１は、２次元コード４１ａの画像から駐車区画４１の情報（例えば、駐車区画４１の位置情報）を取得することができる。
【００２５】
図３の例では、２次元コード４１ａ、４２ａ及び４３ａが各駐車区画に対応付けられて貼りつけられていることとしたがこれに限定されない。２次元コード４１ａ、４２ａ及び４３ａは、各駐車区画に設置されたパイロンやポールなどの支持部材に貼り付けられていてもよい。各駐車区画に対応付けられて貼りつけられているコードは、２次元コードではなく、１次元コードや３次元コードなどの任意の種類のコードを採用することができる。
【００２６】
図２の説明に戻る。測位部２１２は、携帯端末２０がＧＰＳ（Global Positioning System）衛星や通信機器（例えば基地局）から受信した信号に基づいて、携帯端末２０（自機）の位置（例えば、緯度及び経度）を特定し、さらに、当該位置を特定した日時を特定する（すなわち、測位情報を特定する）処理を行う。
【００２７】
駐車判定部２１３は、駐車場４０への車両３０の駐車開始及び駐車終了を判定することができる。例えば、駐車判定部２１３は、測位部２１２により特定された携帯端末２０の位置と、センサ２７によるセンシングの結果（携帯端末２０の状態又は携帯端末２０の状態のユーザの状態）とに基づいて、駐車場４０への車両３０の駐車開始及び駐車終了を判定することができる。具体的には、駐車判定部２１３は、測位部２１２で特定された携帯端末２０の位置が駐車場４０上であり、かつ、携帯端末２０が乗車（車両で移動）の状態から乗車以外の状態になったとセンサ２７によりセンシングされたきに、車両３０が駐車を開始したと判定することができる。また、駐車判定部２１３は、測位部２１２で特定された携帯端末２０の位置が駐車場４０上であり、かつ、携帯端末２０が乗車以外の状態から乗車（車両で移動）の状態になったとセンサ２７によりセンシングされたきに、車両３０が駐車を終了したと判定することができる。
【００２８】
駐車判定部２１３は、センサ２７によるセンシングの結果に基づいて、携帯端末２０のユーザがいずれの状態（例えば、静止、乗車（車両で移動）、歩行（ユーザが歩いて移動）、又はその他（例えば、電車で移動等））であるかを判断することができ、当該判断結果を使用して、車両３０の駐車開始及び／又は駐車終了を判定することにより、より正確な駐車判定を行うことができる。
【００２９】
例えば、測位部２１２で特定された携帯端末２０の位置が駐車場４０上であり、かつ、携帯端末２０のユーザの状態が乗車（車両による走行）から歩行または静止への遷移したときに、車両３０が駐車を開始したと判定することができる。また、駐車判定部２１３は、測位部２１２で特定された携帯端末２０の位置が駐車場４０上であり、かつ、携帯端末２０のユーザの状態が歩行または静止から乗車（車両で移動）への遷移したときに、車両３０が駐車を終了したと判定することができる。
【００３０】
ここで、携帯端末２０のユーザが静止、乗車（車両で移動）、歩行（ユーザが歩いて移動）、又はその他（例えば、電車で移動等）のいずれの状態であるかのセンサ２７によるセンシングの結果に基づく判断は、任意の方法で実施することができる。例えば、まず、ユーザが静止、乗車、歩行、及び走行のそれぞれ状態にあるときに、携帯端末に搭載された加速度センサ及び地磁気センサによるセンシング結果に基づいて特徴量を算出しておき、機械学習によりユーザの各状態と、特徴量との間の関連付けを行っておく。駐車判定部２１３は、上記の関連付けの情報と、センサ２７によるセンシングの結果とに基づいて、携帯端末２０のユーザの状態を判断することができる。
【００３１】
さらに、駐車判定部２１３は、車両３０が駐車を開始した時刻（駐車開始日時）及び駐車を終了した時刻（駐車終了日時）を特定することができる。駐車判定部２１３は、様々な方法により駐車開始日時及び駐車終了日時を特定することができる。例えば、駐車判定部２１３は、読み取り部２１１による読み取りに基づいて（例えば、２次元コード画像から駐車区画の識別情報が読み取られた時刻に基づいて）、駐車開始日時及び駐車終了日時を特定することができる。また、駐車判定部２１３は、上記のようにセンサ２７によるセンシングの結果等を使用して駐車開始及び駐車終了と判定されたタイミングに基づいて、駐車開始日時及び駐車終了日時を特定することができる。さらに、駐車判定部２１３は、車両３０から受信した車両信号の種類及び受信タイミングに基づいて、駐車開始日時及び駐車終了日時を特定することができる。車両信号には、例えば、ＡＣＣ信号（アクセサリ信号）、ＡＴ（オートマチック）シフト信号、ＩＧ（イグニッション）信号、及び／又は車速信号が含まれる。駐車判定部２１３は、例えば、パーキングを示すシフト信号を受信したタイミングに基づいて、駐車開始日時を特定可能であり、車速信号が０ｋｍ／ｈから０ｋｍ／ｈ以上を示したタイミングに基づいて駐車終了日時を特定可能である。
【００３２】
送信部２１４は、携帯端末２０による処理結果の情報及び携帯端末２０に記憶された情報を外部へ送信する。例えば、送信部２１４は、データベース２１０に記憶された携帯端末２０のユーザ情報と、読み取り部２１１により読み取られた駐車区画の識別情報（すなわち、カメラ２６により取得されたコード画像から読み取られた駐車区画の識別情報）と、駐車判定部２１３により特定された駐車開始日時又は駐車終了日時とを含む情報を駐車情報としてサーバ装置１０に送信することができる。また、送信部２１４は、ユーザ入力に応じて、駐車予約情報をサーバ装置１０に送信することができる。駐車予約情報は、駐車場への駐車の予約依頼の情報である。また、送信部２１４は、ユーザ操作（例えば、駐車開始ボタン又は駐車終了ボタンの押下）に応じたタイミングユーザ情報及び駐車区画の識別情報を送信し、駐車判定部２１３により特定されたタイミングで駐車開始日時又は駐車終了日時を送信することができる。
【００３３】
受信部２１５は、携帯端末２０の外部装置から各種情報を受信する。例えば、受信部２１５は、携帯端末２０のユーザが車両３０を駐車場４０に駐車した時間、駐車料金の情報及び駐車に関する通知など、各種情報をサーバ装置１０から受信することができる。
【００３４】
通知部２１６は、携帯端末２０のユーザに対して各種の通知を行う。例えば、通知部２１６は、駐車判定部２１３により車両３０が駐車を開始したと判定されてから所定時間（例えば、１０分）経過しても読み取り部２１１により駐車区画に対応付けられた識別情報が読み取られていない場合、ユーザに通知を行うことができる。また、通知部２１６は、サーバ装置１０から受信した通知をユーザに提示（通知）することができる。
【００３５】
通知部２１６による通知は任意の方法により行うことができる。例えば、表示部２５に通知内容を表示しても良いし、携帯端末２０が備えるスピーカ（図示せず）により通知しても良いし、携帯端末２０を振動させることにより通知してもよい。上記の通知方法の全て又は一部を組み合わせることにより通知してもよい。
【００３６】
以上のように本実施形態によれば、携帯端末２０は、読み取り部２１１により駐車区画の識別情報を読み取り、送信部２１４により、データベース２１０に記憶された携帯端末２０のユーザ情報と、読み取られた駐車区画の識別情報と、駐車開始日時又は駐車終了日時とを含む情報を駐車情報としてサーバ装置１０に送信することができる。その結果、駐車された車両を認識するためにカメラ等の装置を駐車場４０に設置しなくとも、駐車された車両の駐車の管理のために必要な情報をサーバ装置１０に送信することができる。すなわち、本実施形態によれば、より低コストで車両の駐車管理を行うことができる。
【００３７】
次に、図４を参照して、サーバ装置１０の機能構成について説明する。サーバ装置１０は、主な機能構成として、データベース１１０、受信部１１１、駐車予約部１１２、駐車情報特定部１１３、及び送信部１１４を備える。サーバ装置１０は、例えば、ＣＰＵ１１ａがメモリ１１ｂ等に格納された所定のプログラムを実行しサーバ装置１０のハードウェアと協働することにより、図４に示す各機能構成を実現する。以下に各機能構成の詳細を説明する。
【００３８】
データベース１１０は、サーバ装置１０において実行される処理に必要な情報、当該処理により生成された情報、及び外部装置から受信した情報など、各種情報を記憶する。データベース１１０は、例えば、登録されたユーザの情報、登録された駐車場の情報、ユーザによる駐車予約の情報、駐車料金の情報及び駐車場使用の情報等を記憶する。
【００３９】
受信部１１１は、サーバ装置１０の外部装置から各種情報及び各種処理の実行命令を受信する。例えば、受信部１１１は、携帯端末２０の送信部２１４から送信された前述の駐車予約情報、及び駐車情報（例えば、駐車位置情報、駐車開始情報（駐車開始指示）及び駐車終了情報（駐車終了指示）を含む。）等を受信する。駐車開始情報（駐車開始指示）には、駐車判定部２１３により特定された駐車開始日時が含まれ、駐車終了情報（駐車終了指示）には、駐車判定部２１３により特定された駐車終了日時が含まれる。
【００４０】
駐車予約部１１２は、受信部１１１を介して受信した駐車予約情報のデータベース１１０への登録を行う処理、及び登録された駐車予約情報の更新及び削除の処理を行う。データベース１１０に登録され更新される駐車予約情報には、例えば、ユーザ（予約者）情報、駐車予約する駐車場（駐車区画）情報、予約開始日時（駐車開始の予約日時）、予約終了日時（駐車終了の予約日時）、駐車料金、駐車状態（例えば、未駐車、駐車中、又は駐車終了のいずれかの状態）、駐車開始日時（実際に駐車を開始した日時）、及び駐車終了日時（実際に駐車を終了した日時）が含まれる。
【００４１】
駐車情報特定部１１３は、受信部１１１が受信した情報に基づいて、車両３０及びその他の車両による駐車場（駐車区画）へ駐車の情報を駐車情報として特定する。例えば、駐車情報特定部１１３は、携帯端末２０から送信され受信部１１１により受信した駐車情報に基づいて、携帯端末２０のユーザと、駐車された車両３０の駐車位置（車両３０が駐車された駐車区画）と、駐車開始日時及び駐車終了日時の少なくとも一方とを特定することができる。特定された車両の駐車情報は、当該車両のユーザの情報と対応付けてデータベース１１０に記憶される。
【００４２】
また、駐車情報特定部１１３は、特定された駐車情報が、データベース１１０に登録された駐車予約情報が示す内容に従っているか否かを判断する。例えば、駐車情報特定部１１３は、特定された駐車情報が示すユーザ情報、駐車位置（駐車区画）、及び駐車開始日時が、データベース１１０に登録された駐車予約情報が示す内容に従っているか否かを判定（特定）することができる。
【００４３】
以上のように本実施形態によれば、駐車管理システム１は、登録された駐車場予約の内容と、実際駐車されている状況との間の乖離を特定することができる。
【００４４】
また、駐車情報特定部１１３は、携帯端末２０から送信され受信部１１１により受信した駐車開始情報及び駐車終了情報に基づいて、車両３０の駐車時間を特定することができる。さらに、駐車情報特定部１１３は、車両３０の駐車時間及び駐車料金単価情報に基づいて、車両３０の駐車料金を算出することができる。駐車料金単価情報は、例えば、データベース１１０から取得される。
【００４５】
送信部１１４は、サーバ装置１０による処理結果の情報及びサーバ装置１０に記憶された情報を外部へ送信する。例えば、送信部１１４は、駐車情報特定部１１３により特定された車両３０の駐車情報、及び算出された駐車料金の情報を携帯端末２０へ送信する。また、送信部１１４は、各種の通知（メッセージ）を外部装置に対して送信する。例えば、駐車情報特定部１１３により特定された駐車情報が、データベース１１０に登録された駐車予約情報が示す内容に従っていないと判断された場合、送信部１１４は、対応する携帯端末２０に対して、予約外の駐車であること通知する（予約外駐車通知を送信する）。以下に、送信部１１４により携帯端末２０へ送信される通知の例をリストする。
【００４６】
通知の例
（１）予約していない駐車場利用時の通知１
通知条件：携帯端末２０から予約内容に従っていない（又は予約されていないにも関わらず）駐車開始情報を受信し、かつ、その駐車開始指示の内容が示す駐車区画が現在貸出時間外又は現在他のユーザに予約されている。
通知内容：「予約をしていない駐車場に停車しました。現在この駐車場の利用はできませんので移動をお願いします。場所：［駐車場名］」
（２）予約していない駐車場利用時の通知２
通知条件：携帯端末２０から予約内容に従っていない（又は予約されていないにも関わらず）駐車開始情報を受信し、かつ、その駐車開始指示の内容が示す駐車区画が現在貸出時間内、かつ、現在他のユーザに予約されていない。
通知内容：「予約をしていない駐車場に停車しました。移動をするか、該当駐車場に対する予約を行ってください。場所：［駐車場名］」
（３）駐車開始通知
通知条件：携帯端末２０から予約内容に従った駐車開始情報を受信。
通知内容：「駐車開始しました。場所：［駐車場名］  予約開始：XX:XX  予約終了：XX:XX  予約料金：XXX円」
（３ａ）予約時間前駐車開始通知
通知条件：受信部１１１により駐車開始指示を予約時間内に受信したが、駐車開始日時が予約時間前である。
通知内容：「駐車開始しました。予約開始前に駐車されたので追加料金が発生します。場所：［駐車場名］  予約開始：XX:XX  予約終了：XX:XX  予約料金：XXX円  駐車開始：XX:XX  追加料金：XXX円」
（３ｂ）駐車開始ボタン押下の操作を促す通知
通知条件：（駐車判定部２１３により特定された）駐車開始日時を受信部１１１により受信したが、その後所定時間経過しても携帯端末２０のユーザ操作に応じた駐車開始指示を受信しない。
通知内容：「予約駐車場に入庫されたようです。駐車開始のボタンを押してください。」
（３ｃ）駐車終了ボタン押下の操作を促す通知
通知条件：（駐車判定部２１３により特定された）駐車終了日時を受信部１１１により受信したが、その後所定時間経過しても携帯端末２０のユーザ操作に応じた駐車終了指示を受信しない。
通知内容：「予約駐車場から出庫されたようです。駐車終了のボタンを押してください。」
（４）時間前駐車開始通知  使用可能時間
通知条件：受信部１１１により予約時間前に駐車開始指示を受信し、かつ、その駐車開始日時が貸出時間内、かつ、現在他のユーザに予約されていない。
通知内容：「時間前駐車開始です。使用可能時間ですので予約を更新してください。場所：［駐車場名］  予約開始：XX:XX  予約終了：XX:XX  予約料金：XXX円」
（５）時間前駐車開始通知  使用不可能時間
通知条件：受信部１１１により予約時間前に駐車開始指示を受信し、かつ、その駐車開始日時が貸出時間外又は現在他のユーザに予約されている。
通知内容：「時間前駐車開始です。使用不可能時間ですので移動してください。場所：［駐車場名］  予約開始：XX:XX  予約終了：XX:XX  予約料金：XXX円」
（６）駐車終了時間接近通知１
通知条件：駐車中に予約終了時間の一定時間前と判定され、かつ、その駐車開始日時が貸出時間内、かつ、現在他のユーザに予約されていない。
通知内容：「もうすぐ予約終了時間となります。終了時間を超える場合は予約を更新してください。〇〇分毎にXXX円の料金が発生します。場所：［駐車場名］  予約開始：XX:XX  予約終了：XX:XX  予約料金：XXX円」
（７）駐車終了時間接近通知２
通知条件：駐車中に予約終了時間の一定時間前と判定され、かつ、予約終了後、その駐車場が貸出時間外又は現在他のユーザに予約されている。
通知内容：「もうすぐ予約終了時間となります。時間内での利用をお願いします。場所：［駐車場名］  予約開始：XX:XX  予約終了：XX:XX  予約料金：XXX円」
（８）駐車時間超過通知
通知条件：予約時間を過ぎても駐車中と判定され、かつ、現在貸出時間内、かつ、現在他のユーザに予約されていない。
通知内容：「予約時間を超過しています。〇〇分毎にXXX円の追加料金が発生します。場所：［駐車場名］  予約開始：XX:XX  予約終了：XX:XX  予約料金：XXX円」
（９）駐車時間超過と移動を促す通知
通知条件：予約時間を過ぎても駐車中と判定され、かつ、現在貸出時間外又は現在他のユーザに予約されている。
通知内容：「予約時間を超過しています。使用不可の時間につき、至急移動してください。場所：［駐車場名］  予約開始：XX:XX  予約終了：XX:XX  予約料金：XXX円」
（１０）駐車終了通知（予約時間内終了）
通知条件：予約時間内で駐車終了を受信。
通知内容：「駐車終了しました。追加料金はありません。場所：［駐車場名］  予約開始：XX:XX  予約終了：XX:XX  予約料金：XXX円  駐車開始：xx:xx  駐車終了：xx:xx  支払料金：xxx円」
（１１）駐車終了通知（予約時間超過）
通知条件：予約時間を過ぎて駐車終了を受信。
通知内容：「駐車終了しました。追加料金はXXX円。場所：［駐車場名］  予約開始：XX:XX  予約終了：XX:XX  予約料金：XXX円  駐車開始：xx:xx  駐車終了：xx:xx  支払料金：xxx円」
（１２）駐車開始時と異なる駐車場の通知
通知条件：予約のない駐車場で駐車終了を受信。
通知内容：「駐車した駐車場と違います。もう一度ご確認ください。場所：［駐車場名］」
【００４７】
３．実施例
駐車管理システム１の具体的な実施例の処理フローを以下に説明する。上記で既に説明した処理についてはここでは省略、又は概要のみ説明する。
【００４８】
３．１  実施例１
実施例１は、図１に示した駐車管理システム１の構成のうち、サーバ装置１０及び携帯端末２０の処理により駐車管理を行う実施例である。
【００４９】
実施例１．１
図５及び図６のフローチャートを参照して、本実施例において、車両３０による駐車場への駐車の開始及び終了を判定する処理の例を説明する。図５及び図６において、「携帯端末」と示された領域にある各処理ステップは携帯端末２０による処理ステップを示し、「サーバ装置」と示された領域にある各処理ステップはサーバ装置１０による処理ステップを示す。他のフローチャートにおいても同様である。
【００５０】
まず、図５を参照して、車両３０による駐車場への駐車の開始を判定する処理の例を説明する。
【００５１】
携帯端末２０は、ユーザ操作に応じて、車両３０を駐車する駐車場及び駐車区画が指定され、駐車予約の指示を受けると（ステップＳ１０１）、受けた駐車予約の情報をサーバ装置１０に送信する。サーバ装置１０は、受信した駐車予約の情報に基づいて、車両３０の駐車予約をデータベース１１０に登録する（ステップＳ１０２）。
【００５２】
その後、携帯端末２０は、ユーザにより駐車位置の指定と駐車開始指示を受け付けた場合（ステップＳ１０３のＹｅｓ）、カメラ２６を起動する（ステップＳ１０４）。携帯端末２０は、ユーザの指示に応じて、車両３０が駐車した駐車区画に設置された２次元コードを撮像する（ステップＳ１０５）。例えば、車両３０を駐車場４０の駐車区画４１に駐車（入庫）したユーザは、携帯端末２０を操作し、駐車区画４１に設置された２次元コード４１ａの撮像を指示する。携帯端末２０は、ステップＳ１０５で撮像された２次元コードの画像から駐車区画の識別情報（駐車位置情報）を読み取る（ステップＳ１０６）。
【００５３】
その後、携帯端末２０から駐車区画の識別情報、当該識別情報を読み取った日時及び携帯端末２０のユーザ情報と共に、駐車開始指示がサーバ装置１０に送信される。サーバ装置１０は、携帯端末２０から駐車開始指示を受信する（ステップＳ１０７）。
【００５４】
サーバ装置１０は、当該指示と共に受信した情報と、データベース１１０に記憶された駐車予約情報とに基づいて、車両３０が開始する駐車の内容が駐車予約の内容に従っているか否かを判断する（ステップＳ１０８）。例えば、駐車を開始する駐車の内容と駐車予約の内容との間で、駐車場所（駐車区画）が異なる、駐車時間が異なる（例えば、予約した駐車時間外に駐車が開始された）場合、サーバ装置１０は、車両３０が開始する駐車の内容が駐車予約の内容に従っていないと判断する。
【００５５】
ステップＳ１０８において駐車予約の内容に従っていないと判断された場合（ステップＳ１０８のＮｏ）、サーバ装置１０は、駐車が予約の内容に従っていないことを携帯端末２０に通知し（ステップＳ１１１）、携帯端末２０は、受信した通知をユーザに提示する（Ｓ１１２）。例えば、上記の通知の例（１）、（２）、（４）又は（５）のいずれかが表示部２５を介して提示される。その後図５に示す処理は終了する。
【００５６】
ステップＳ１０８において駐車予約の内容に従っていると判断された場合（ステップＳ１０８のＹｅｓ）、サーバ装置１０は、データベース１１０に記憶された駐車使用情報を更新する（ステップＳ１０５）。具体的には、駐車区画の識別情報は駐車位置として、識別情報を読み取った日時は駐車開始日時として、携帯端末２０のユーザ情報は駐車したユーザの情報として特定し、駐車使用情報が更新される。
【００５７】
その後、駐車の開始がサーバ装置１０から携帯端末２０へ通知される（ステップＳ１０９）。携帯端末２０は、当該通知（例えば、上記の通知の例（３））を表示部２５に表示すること等により、ユーザに通知し（ステップＳ１１０）、図５に示す処理は終了する。
【００５８】
以上のように図５に示した処理によれば、駐車管理システム１は、登録された駐車場予約の内容と、実際駐車されている状況との間の乖離を特定することができ、その乖離（すなわち、駐車が予約内容に従っていないこと）をユーザに通知することができる。
【００５９】
また、図５に示す処理によれば、駐車管理システム１は、駐車された車両を認識するためにカメラ等の高コストな装置を駐車場に設置しなくとも、車両３０が駐車した駐車場（駐車区画）の位置及び駐車開始日時の情報を特定することができ、当該情報を使用して駐車管理を行うことができる。すなわち、本実施形態によれば、より低コストで車両の駐車管理を行うことができる。
【００６０】
次に、図６のフローチャートを参照して、車両３０による駐車場への駐車の終了を判定する処理の例を説明する。
【００６１】
まず、携帯端末２０は、ユーザより駐車終了の指示を受け付け（ステップＳ２０１）、カメラ２６を起動する（ステップＳ２０２）。携帯端末２０は、ユーザの指示に応じて、車両３０が駐車した駐車区画に設置された２次元コードを撮像する（ステップＳ２０３）。例えば、駐車場４０の駐車区画４１に駐車（入庫）した車両３０を駐車終了（出庫）したいユーザは、携帯端末２０を操作し、駐車区画４１に設置された２次元コード４１ａの撮像を指示する。携帯端末２０は、ステップＳ２０３で撮像された２次元コードの画像から駐車区画の識別情報（駐車位置情報）を読み取る（ステップＳ２０４）。
【００６２】
その後、携帯端末２０から駐車区画の識別情報、当該識別情報を読み取った日時及び携帯端末２０のユーザ情報と共に、駐車終了指示がサーバ装置１０に送信される。サーバ装置１０は、携帯端末２０から駐車終了指示を受信する（ステップＳ２０５）。サーバ装置１０は、ステップＳ２０５で駐車区画の識別情報と共に受信したユーザ情報と、データベース１１０に駐車使用情報として当該駐車区画の識別情報と関連付けて記憶されたユーザ情報とが一致するか否かを判断する（ステップＳ２０６）。すなわち、ステップＳ２０６において、サーバ装置１０は、受信した駐車終了指示についてのユーザ情報及び駐車区画の識別情報が、データベース１１０に記憶された駐車使用情報と整合するか否かを判断する。
【００６３】
ステップＳ２０６において、情報が一致する（整合する）と判断された場合（Ｓ２０６のＹｅｓ）、サーバ装置１０は、ステップＳ２０５で受信した情報に基づいてデータベース１１０に記憶された駐車使用情報を更新する（ステップＳ２０７）。具体的には、駐車区画の識別情報は駐車を終了する位置として、識別情報を読み取った日時は駐車終了日時として、携帯端末２０のユーザ情報は駐車終了するユーザの情報として駐車使用情報が更新される。
【００６４】
その後、サーバ装置１０は、ステップＳ２０７で更新した駐車終了日時が予約時間内であるか否かを判断する（ステップＳ２０８）。予約時間内であると判断された場合（ステップＳ２０８のＹｅｓ）、駐車の終了がサーバ装置１０から携帯端末２０へ通知される（ステップＳ２０９）。携帯端末２０は、当該通知を表示部２５に表示すること等により、ユーザに通知し（ステップＳ２１０）、図６に示す処理は終了する。ステップＳ２１０では、例えば、上記の通知の例（１０）が表示部２５を介して提示される。
【００６５】
また、ステップＳ２０８において、予約時間内であると判断されなかった場合（ステップＳ２０８のＮｏ）、駐車時間が予約した時間を超過したことがサーバ装置１０から携帯端末２０へ通知される（ステップＳ２１１）。携帯端末２０は、当該通知を表示部２５に表示すること等により、ユーザに通知し（ステップＳ２１２）、図６に示す処理は終了する。ステップＳ２１２では、例えば、上記の通知の例（１１）が表示部２５を介して提示される。
【００６６】
また、ステップＳ２０６において、情報が一致しない（整合しない）と判断された場合（Ｓ２０６のＮｏ）、サーバ装置１０は、その旨を携帯端末２０へ通知する（ステップＳ２１３）。携帯端末２０は、当該通知を表示部２５に表示すること等により、ユーザに通知し（ステップＳ２１４）、処理はステップＳ２０１へ進む。ステップＳ２１４では、例えば、上記の通知の例（１２）が表示部２５を介して提示される。
【００６７】
以上のように図６に示した処理によれば、駐車管理システム１は、登録された駐車場予約の内容と、実際駐車された状況（駐車終了日時）との間の乖離を特定することができ、その乖離（すなわち、駐車が予約内容に従っていないこと）をユーザに通知することができる。
【００６８】
また、図６に示す処理によれば、駐車管理システム１は、駐車された車両を認識するためにカメラ等の高コストな装置を駐車場に設置しなくとも、車両３０が駐車した駐車場（駐車区画）の位置及び駐車終了日時の情報を特定することができ、当該情報を使用して低コストで駐車管理を実現することができる。
【００６９】
実施例１．２
図５又は図６に示した処理で特定した駐車開始日時又は駐車終了日時と、実際に駐車を開始した日時又は終了した日時との間に大きな差異が生じる場合がある。例えば、ユーザが車両を実際に駐車した日時が、図５のステップＳ１０５でユーザが撮像を行った日時と大きく異なる場合、駐車開始日時に大きな差異が生じる。また、ユーザが車両の駐車を実際に終了した日時が、図６のステップＳ２０３でユーザが撮像を行った日時と大きく異なる場合、駐車終了日時に大きな差異が生じる。その結果、例えば、上記の駐車開始日時及び駐車終了日時により特定される駐車時間に応じて駐車料金を計算する場合、駐車料金が実際の駐車時間から大きくかけ離れたものになる場合がある。
【００７０】
そこで、以下に、車両３０による駐車場への駐車の開始日時及び終了日時をより正確に特定することにより駐車管理を行うための処理の例を説明する。
【００７１】
まず、図７のフローチャートを参照して駐車開始日時をより正確に特定する処理の例として、駐車開始日時特定処理ａの説明をする。この処理の前提として、携帯端末２０のユーザの指示に応じて駐車予約情報がサーバ装置１０のデータベース１１０に登録されている。以下に説明する他の図のフローチャートに示した処理においても同様である。
【００７２】
駐車開始日時特定処理ａにおいて、まず、車両３０に乗車しているユーザの携帯端末２０は、測位処理により、自機の位置情報を取得し（ステップＳ３０１）、現在位置が携帯端末２０のユーザにより予約された駐車場の近傍（例えば、３０ｍ以内）であるか否かを判定する（ステップＳ３０２）。ユーザにより予約された駐車場の情報は、サーバ装置１０のデータベース１１０よりネットワークＮを介して取得される。
【００７３】
近傍であると判定された場合（ステップＳ３０２のＹｅｓ）、携帯端末２０は、センサ２７によりセンシングされた情報（センサ情報）を取得し（ステップＳ３０３）、センサ情報に基づいて特定されたユーザの移動状態が「乗車」（車両で移動）であるか否かを判定する（ステップＳ３０４）。センサ情報に基づいてユーザの状態を特定する方法は既に説明したとおりである。
【００７４】
移動状態が「乗車」以外の状態である（すなわち、Ｓ３０１及びＳ３０２の時点においては「乗車」状態であったがその後他の状態に遷移した）と判定された場合（ステップＳ３０４のＮｏ）、携帯端末２０は、車両３０は駐停車中と判定する（ステップＳ３０５）。その後、携帯端末２０は、ステップＳ３０４で「乗車」から他の状態に遷移したと判定された日時を駐車開始日時として設定する（ステップＳ３０６）。その後、図７に示す駐車開始日時特定処理ａは終了する。
【００７５】
以上のように図７に示した処理によれば、携帯端末２０は、現在位置が携帯端末２０のユーザにより予約された駐車場の近傍であるときに、センサ２７からのセンサ情報に基づいて「乗車」から他の状態に遷移したと判定された日時を駐車開始日時として設定する。その結果、駐車開始日時をより正確に特定することができる。
【００７６】
次に、図８のフローチャートを参照して、車両３０による駐車場への駐車の開始の処理の例を説明する。この処理は、例えば、図７に示した駐車開始日時特定処理ａの後に開始する。
【００７７】
携帯端末２０は、ユーザにより駐車位置の指定と駐車開始指示を受け付けると（ステップＳ４０１）、カメラ２６を起動する（ステップＳ４０２）。携帯端末２０は、ユーザの指示に応じて、車両３０が駐車した駐車区画に設置された２次元コードを撮像する（ステップＳ４０３）。例えば、車両３０を駐車場４０の駐車区画４１に駐車（入庫）したユーザは、携帯端末２０を操作し、駐車区画４１に設置された２次元コード４１ａの撮像を指示する。携帯端末２０は、ステップＳ１０５で撮像された２次元コードの画像から駐車区画の識別情報（駐車位置情報）を読み取る（ステップＳ４０４）。
【００７８】
その後、携帯端末２０から駐車区画の識別情報、当該識別情報を読み取った日時及び携帯端末２０のユーザ情報と共に、駐車開始指示がサーバ装置１０に送信される。サーバ装置１０は、携帯端末２０から駐車開始指示を受信する（ステップＳ４０５）。
【００７９】
サーバ装置１０は、当該指示と共に受信した情報と、データベース１１０に記憶された駐車予約情報とに基づいて、車両３０が開始する駐車の内容が駐車予約の内容に従っているか否かを判断する（ステップＳ４０６）。例えば、駐車を開始する駐車の内容と駐車予約の内容との間で、駐車場所（駐車区画）が異なる、又は駐車時間が異なる（例えば、予約した駐車時間外に駐車が開始された）場合、サーバ装置１０は、車両３０が開始する駐車の内容が駐車予約の内容に従っていないと判断する。
【００８０】
ステップＳ４０６において駐車予約の内容に従っていないと判断された場合（ステップＳ４０６のＮｏ）、サーバ装置１０は、駐車が予約の内容に従っていないことを携帯端末２０に通知し（ステップＳ４１３）、携帯端末２０は、受信した通知をユーザに提示する（Ｓ４１４）。例えば、上記の通知の例（１）、（２）、（４）又は（５）のいずれかが表示部２５を介して提示される。その後、処理は図７のステップＳ３０１へ進む。
【００８１】
ステップＳ４０６において駐車予約の内容に従っていると判断された場合（ステップＳ４０６のＹｅｓ）、サーバ装置１０は、データベース１１０に記憶された駐車使用情報を更新する（ステップＳ４０７）。具体的には、駐車区画の識別情報は駐車位置として、図７のステップＳ３０６で駐車開始日時と設定された時刻は駐車開始日時として、携帯端末２０のユーザ情報は駐車したユーザの情報として特定し、駐車使用情報が更新（登録）される。
【００８２】
その後、サーバ装置１０は、ステップＳ４０７で更新した駐車開始日時が予約時間前であるか否かを判断する（ステップＳ４０８）。予約時間前ではないと判断された場合（ステップＳ４０８のＮｏ）、駐車の開始がサーバ装置１０から携帯端末２０へ通知される（ステップＳ４０９）。携帯端末２０は、当該通知（例えば、上記の通知の例（３））を表示部２５に表示すること等により、ユーザに通知し（ステップＳ４１０）、図８に示す処理は終了する。
【００８３】
また、ステップＳ４０８において、予約時間前であると判断された場合（ステップＳ４０８のＹｅｓ）、駐車開始が予約時間前であることがサーバ装置１０から携帯端末２０へ通知される（ステップＳ４１１）。携帯端末２０は、当該通知（例えば、上記の通知の例（３ａ））を表示部２５に表示すること等により、ユーザに通知し（ステップＳ４１２）、図８に示す処理は終了する。
【００８４】
以上のように図８に示した処理によれば、駐車管理システム１は、登録された駐車場予約の内容と、実際駐車されている状況（駐車開始日時）との間の乖離（予約時間前に駐車が開始されたこと）を特定することができ、その乖離をユーザに通知することができる。
【００８５】
次に、図９のフローチャートを参照して駐車終了日時をより正確に特定する処理の例を説明する。図９の処理は、図６の処理のステップＳ２０６においてＹｅｓと判断されたときに開始する。
【００８６】
まず、ステップＳ５０１からＳ５０６で示される駐車終了日時特定処理ａを実施する。駐車終了日時特定処理ａにおいて、駐車場に駐車した車両３０に徒歩で近づくユーザの携帯端末２０は、測位処理により、自機の位置情報を取得し（ステップＳ５０１）、現在位置が、車両３０の駐車が予約されたの駐車場の近傍（例えば、１０ｍ以内）であるか否かを判定する（ステップＳ５０２）。車両３０の予約した駐車場の情報は、サーバ装置１０のデータベース１１０よりネットワークＮを介して取得される。
【００８７】
近傍であると判定された場合（ステップＳ５０２のＹｅｓ）、携帯端末２０は、センサ２７によりセンサ情報を取得し（ステップＳ５０３）、センサ情報に基づいて特定されたユーザの移動状態が「乗車」であるか否かを判定する（ステップＳ５０４）。
【００８８】
移動状態が「乗車」である（すなわち、Ｓ５０１及びＳ５０２の時点においては「徒歩」などの「乗車」以外の状態であったが、その後「乗車」状態に遷移した）と判定された場合（ステップＳ５０４のＹｅｓ）、携帯端末２０は、ユーザは車両３０に乗車中と判定する（ステップＳ５０５）。その後、携帯端末２０は、ステップＳ５０４で状態が「乗車」に遷移したと判定された日時を、携帯端末２０のユーザの車両３０の駐車終了日時として設定する（ステップＳ５０６）。設定された駐車終了日時の情報はサーバ装置１０に送信される。
【００８９】
サーバ装置１０は、携帯端末２０から駐車終了日時の情報を受信（ステップＳ５０７）した後、サーバ装置１０は、ステップＳ５０７及び図６のＳ２０５で受信した情報に基づいてデータベース１１０に記憶された駐車使用情報を更新する（ステップＳ５０８）。具体的には、Ｓ２０５で受信した駐車区画の識別情報及び携帯端末２０のユーザ情報は、それぞれ駐車を終了する位置及び駐車終了するユーザの情報として、Ｓ５０７で受信した駐車終了日時は、駐車終了日時として、駐車使用情報が更新（登録）される。
【００９０】
その後、サーバ装置１０は、ステップＳ５０８で登録された駐車終了日時が予約時間内であるか否かを判断する（ステップＳ５０９）。予約時間内であると判断された場合（ステップＳ５０９のＹｅｓ）、駐車の終了がサーバ装置１０から携帯端末２０へ通知される（ステップＳ５１０）。携帯端末２０は、当該通知を表示部２５に表示すること等により、ユーザに通知し（ステップＳ５１１）、図９に示す処理は終了する。ステップＳ５１１では、例えば、上記の通知の例（１０）が表示部２５を介して提示される。
【００９１】
また、ステップＳ５０９において、予約時間内であると判断されなかった場合（ステップＳ５０９のＮｏ）、駐車時間が予約した時間を超過したことがサーバ装置１０から携帯端末２０へ通知される（ステップＳ５１２）。携帯端末２０は、当該通知を表示部２５に表示すること等により、ユーザに通知し（ステップＳ５１３）、図９に示す処理は終了する。ステップＳ５１３では、例えば、上記の通知の例（１１）が表示部２５を介して提示される。
【００９２】
以上のように図９に示した処理によれば、駐車管理システム１は、登録された駐車場予約の内容と、実際駐車された状況（駐車終了日時）との間の乖離を特定することができ、その乖離（すなわち、駐車が予約内容に従っていないこと）をユーザに通知することができる。
【００９３】
また、図９に示した処理によれば、携帯端末２０は、現在位置が駐車した駐車場の近傍であるときに、センサ２７からのセンサ情報に基づいて他の状態から「乗車」に遷移したと判定された日時を駐車終了日時として設定する。その結果、駐車終了日時をより正確に特定することができる。
【００９４】
実施例１．３
図５及び図６の処理において、システムが自動的に２次元コードの画像から駐車区画の識別情報を読み取るときに、必要以上に早いタイミングでカメラ２６が起動されると、携帯端末２０は無駄な処理を実施、又は識別情報の誤認識が生じ得る。図１０及び図１１を参照して、携帯端末２０の無駄な処理の実施、及び識別情報の誤認識を低減するための処理の例を説明する。また、この処理において、携帯端末２０は車両３０のインストルメント・パネル（インパネ）上に固定されて設置されており、携帯端末２０の前面及び裏面にはカメラが設けられている。この状態で、携帯端末２０の両面に設置されたカメラは、車両３０の前方又は後方を撮像可能である。
【００９５】
まず、図１０を参照して、駐車場への駐車開始の処理を説明する。携帯端末２０は、駐車開始日時特定処理ａを実施する（ステップＳ６０１）。駐車開始日時特定処理ａは、図７を参照して説明した処理であり、駐車開始日時（駐車開始のタイミング）をより正確に特定することができる処理である。
【００９６】
携帯端末２０は、駐車開始日時特定処理ａの実施後のタイミングで、カメラ２６を自動的に起動し（ステップＳ６０２）、カメラ２６の視野範囲の画像を撮像する（ステップＳ６０３）。このように、ステップＳ５０１でより正確に駐車開始のタイミングが特定された後にカメラ２６が起動されるため、携帯端末２０のカメラ２６による無駄な処理を低減することができる。
【００９７】
その後、携帯端末２０は、Ｓ６０３で撮像された画像に２次元コードが含まれており、当該２次元コードの画像から駐車区画の識別情報を読み取ることができるか否かを判断する（ステップＳ６０４）。読み取ることができる場合（ステップＳ６０４のＹｅｓ）、携帯端末２０は、識別情報を読み取り、処理は図８のステップＳ４０５へ進む。すなわち、携帯端末２０は、Ｓ６０１からＳ６０４の処理において、駐車開始と判断された後に２次元コードから駐車区画の識別情報を自動的に読み取る。
【００９８】
Ｓ６０４で読み取ることができない場合（ステップＳ６０４のＮｏ）、携帯端末２０は、カメラ２６の撮像方向を変更した後（ステップＳ６０５）、撮像することにより、２次元コードの画像からの駐車区画の識別情報の読み取りを試みる（ステップＳ６０６）。ここで、カメラ２６の撮像方向の変更とは、例えば、携帯端末２０の前面に設けられたカメラによる車両３０の前方の撮像から携帯端末２０の裏面に設けられたカメラによる車両３０の後方の撮像に変更することを意味する。識別情報を読み取れた場合（ステップＳ６０７のＹｅｓ）、処理は図８のステップＳ４０５へ進む。読み取れなかった場合（ステップＳ６０７のＮｏ）、携帯端末２０は、駐車開始の指示をユーザから受け付けるための駐車開始ボタンを表示部２５に表示し（ステップＳ６０８）、駐車開始の指示を受けた後、処理は図８のステップＳ４０１へ進む。すなわち、Ｓ６０７で自動的に駐車区画の識別情報を読み取れないと判断したときは、図８のステップＳ４０１からＳ４０４の処理を実施する。
【００９９】
以上のように図１０の処理によれば、より正確に駐車開始のタイミングが特定された後にカメラ２６が起動されるため、携帯端末２０のカメラ２６による無駄な処理を低減することができる。さらに、不必要なタイミングで撮像が行なわれることによる識別情報の誤認識を低減することができる。
【０１００】
次に、図１１を参照して、駐車終了時における携帯端末２０の無駄な処理の実施、及び識別情報の誤認識を低減するための処理の例を説明する。
【０１０１】
携帯端末２０は、駐車終了日時特定処理ａを実施する（ステップＳ７０１）。駐車終了日時特定処理ａは、図９を参照して説明した処理であり、カメラ２６により撮像された画像を使用せずに、より正確に車両３０の駐車終了日時を特定可能な処理である。
【０１０２】
その後、サーバ装置１０は、携帯端末２０から車両３０の駐車終了日時の情報と共に、駐車終了指示を受信し（ステップＳ７０２）、受信した情報に基づいて、駐車終了の情報を反映するようにデータベース１１０に記憶された駐車使用情報を更新する（ステップＳ７０３）。
【０１０３】
その後、サーバ装置１０は、ステップＳ７０３で更新した駐車終了日時が予約時間内であるか否かを判断する（ステップＳ７０４）。予約時間内であると判断された場合（ステップＳ７０４のＹｅｓ）、駐車の終了がサーバ装置１０から携帯端末２０へ通知される（ステップＳ７０５）。携帯端末２０は、当該通知を表示部２５に表示すること等により、ユーザに通知し（ステップＳ７０６）、図１１に示す処理は終了する。ステップＳ７０６では、例えば、上記の通知の例（１０）が表示部２５を介して提示される。
【０１０４】
また、ステップＳ７０４において、予約時間内であると判断されなかった場合（ステップＳ７０４のＮｏ）、駐車時間が予約した時間を超過したことがサーバ装置１０から携帯端末２０へ通知される（ステップＳ７０７）。携帯端末２０は、当該通知を表示部２５に表示すること等により、ユーザに通知し（ステップＳ７０８）、図１１に示す処理は終了する。ステップＳ７０８では、例えば、上記の通知の例（１１）が表示部２５を介して提示される。
【０１０５】
以上のように図１１に示した処理によれば、駐車管理システム１は、登録された駐車場予約の内容と、実際駐車された状況（駐車終了日時）との間の乖離を特定することができ、その乖離（すなわち、駐車が予約内容に従っていないこと）をユーザに通知することができる。
【０１０６】
また、図１１の処理によれば、カメラ２６により撮像された画像を使用せずに車両３０の駐車終了日時を特定するため、携帯端末２０のカメラ２６による無駄な処理を低減することができ、さらに、識別情報の誤認識の発生を低減することができる。
【０１０７】
実施例１．４
カメラ２６で撮像された画像から駐車区画の識別情報の読み取りを行うような場合、ユーザがカメラ２６で２次元コードの撮像を行わない又はカメラ２６が２次元コードを自動で撮像できないことにより、識別情報の読み取れないことがある。このような事象の発生を低減するための処理を図１２及び図１３を参照して説明する。
【０１０８】
図１２を参照して、駐車開始時の処理を説明する。まず、携帯端末２０は、駐車開始日時特定処理ａを実施する（ステップＳ８０１）。駐車開始日時特定処理ａは、図７を参照して説明した処理である。その後、携帯端末２０は、所定時間（例えば、３分）経過したか否かを判定する（ステップＳ８０２）。経過した場合、携帯端末２０は、駐車開始指示をユーザから受けているかを判断し（ステップＳ８０３）、受けている場合（ステップＳ８０３のＹｅｓ）は処理は図８のＳ４０２へ進む。受けていない場合（ステップＳ８０３のＮｏ）、携帯端末２０は、ユーザに対して駐車開始の指示を促す通知を行い（ステップＳ８０４）、処理はステップＳ８０２へ進む。指示を促す通知は、例えば、携帯端末２０の表示部２５にメッセージを表示したり、携帯端末２０から音声を発することにより行う。
【０１０９】
以上のように図１２に示した処理によれば、携帯端末２０は、駐車開始日時の特定後、所定時間経過しても駐車開始指示をユーザから受けていない場合、ユーザに対して駐車開始の指示を促す通知を行う。これにより、車両３０の駐車を開始したにも関わらず駐車区画の識別情報が読み取られないという事象の発生を低減することができる。
【０１１０】
次に、図１３を参照して、駐車終了時の処理を説明する。まず、携帯端末２０は、駐車終了日時特定処理ａを実施する（ステップＳ９０１）。駐車終了日時特定処理ａは、図９を参照して説明した処理である。その後、携帯端末２０は、所定時間（例えば、３分）経過したか否かを判定する（ステップＳ９０２）。経過した場合、携帯端末２０は、駐車終了指示をユーザから受けているかを判断し（ステップＳ９０３）、受けている場合は処理は図１１のＳ７０２へ進む。受けていない場合、携帯端末２０は、ユーザに対して駐車終了の指示を促す通知を行い（ステップＳ９０４）、処理はステップＳ９０２へ進む。指示を促す通知は、例えば、携帯端末２０の表示部２５にメッセージを表示したり、携帯端末２０から音声を発することにより行う。
【０１１１】
以上のように図１３に示した処理によれば、携帯端末２０は、駐車終了日時の特定後、所定時間経過しても駐車終了指示をユーザから受けていない場合、ユーザに対して駐車終了の指示を促す通知を行う。これにより、車両３０の駐車を終了したにも関わらず駐車区画の識別情報が読み取られないという事象の発生を低減することができる。
【０１１２】
３．２  実施例２
実施例２は、図１に示した駐車管理システム１の構成のうち、サーバ装置１０、携帯端末２０及び車両３０の処理により駐車管理を行う実施例である。
【０１１３】
実施例２．１
図１４及び図１５のフローチャートを参照して、車両３０による駐車場への駐車の開始及び終了を判定する処理の例を説明する。
【０１１４】
まず、図１４を参照して、車両３０による駐車場への駐車の開始を判定する処理の例として、駐車開始日時特定処理ｂを説明する。
【０１１５】
携帯端末２０は、まず、車両３０の車載端末から車両３０の位置情報及び車両信号を含むデータを受信する（ステップＳ１００１）。車載端末は、車両３０が備える構成であり、例えば、上記で説明した携帯端末２０と同様の構成、及びその他の構成を備える。車両３０の位置情報は、車両３０が備える測位機能により特定される。車両信号には、例えば、ＡＴ（オートマチック）シフト信号、車速信号、ＩＧ（イグニッション）信号、及び／又はＡＣＣ信号（アクセサリ信号）が含まれる。
【０１１６】
次に、携帯端末２０は、Ｓ１００１で受信したデータから車両３０の位置情報を読み込み（ステップＳ１００２）、車両３０の現在位置が携帯端末２０のユーザにより予約された駐車場の近傍（例えば、１０ｍ以内）であるか否かを判定する（ステップＳ１００３）。ユーザにより予約された駐車場の情報は、サーバ装置１０のデータベース１１０よりネットワークＮを介して取得される。
【０１１７】
近傍であると判定された場合（ステップＳ１００３のＹｅｓ）、携帯端末２０は、Ｓ１００１で受信したデータから車両信号を読み込み（ステップＳ１００４）、ＡＴシフト信号がＰ（パーキング）であるか否かを判断する（ステップＳ１００５）。パーキングであるとき（ステップＳ１００５のＹｅｓ）、携帯端末２０は、車両３０は駐車場に駐停車中であると判定する（ステップＳ１００６）。
【０１１８】
なお、Ｓ１００４で読み込んだ車両信号にＡＴシフト信号、ＩＧ信号、又は車速信号が含まれている場合、Ｓ１００５でＡＴシフト信号がＰ（パーキング）を示す、ＩＧ信号がＯＦＦを示す、又は車速信号が０を示すか否かが判定される。判定結果がＹｅｓの場合、Ｓ１００６で車両３０は駐車場に駐停車中であると判定される。
【０１１９】
その後、携帯端末２０は、ステップＳ１００５でＹｅｓと判定された日時を駐車場への駐車開始日時として設定する（ステップＳ１００７）。
【０１２０】
駐車開始日時特定処理ｂは終了し、その後、処理は図８のステップＳ４０１に進む。
【０１２１】
以上のように図１４に示した処理によれば、駐車管理システム１は、駐車された車両を認識するためにカメラ等の高コストな装置を駐車場に設置しなくとも、車両３０が駐車した駐車場（駐車区画）の位置及び駐車開始日時の情報を特定することができる。その結果、当該情報を使用して低コストで駐車管理を実現することができる。
【０１２２】
また、図１４に示した処理によれば、車両３０から発信される車両信号を使用して、駐車場への駐車開始のタイミングを特定する。ＡＴ（オートマチック）シフト信号、車速信号、ＩＧ（イグニッション）信号、ＡＣＣ信号（アクセサリ信号）などの車両信号は、車両の状態に応じて自動的に発信される信号であるため、図１４に示した処理によれば、ユーザが手動で駐車開始日時を指定する場合と比較して、より正確に駐車開始日時を特定することができる。
【０１２３】
次に、図１５のフローチャートを参照して、車両３０による駐車場への駐車の終了を判定する処理の例を説明する。図１５の処理は、図６の処理のステップＳ２０６においてＹｅｓと判断されたときに開始する。
【０１２４】
携帯端末２０は、まず、車両終了日時特定処理ｂ（ステップＳ１１０１からＳ１１０７）を実施する。車両終了日時特定処理ｂにおいて、まず、携帯端末２０は、車両３０の車載端末から車両３０の位置情報及び車両信号を含むデータを受信する（ステップＳ１１０１）。車両３０の位置情報は、車両３０が備える測位機能により特定される。車両信号には、例えば、車速信号が含まれる。
【０１２５】
次に、携帯端末２０は、Ｓ１００１で受信したデータから車両３０の位置情報を読み込み（ステップＳ１１０２）、車両３０の現在位置が駐車された（予約された）駐車場の近傍（例えば、１０ｍ以内）であるか否かを判定する（ステップＳ１１０３）。車両３０の駐車された駐車場の情報は、サーバ装置１０のデータベース１１０よりネットワークＮを介して取得される。
【０１２６】
近傍であると判定された場合（ステップＳ１１０３のＹｅｓ）、携帯端末２０は、Ｓ１００１で受信したデータから車両信号を読み込み（ステップＳ１１０４）、車速の値が０ｋｍより大きいか否かを判定する（ステップＳ１１０５）。０ｋｍより大きいとき（ステップＳ１１０５のＹｅｓ）、携帯端末２０は、車両３０は移動中であると判定する（ステップＳ１１０６）。また、車輪速パルスの積算による車両の移動量を計測して、その移動量が所定値（例えば20m以上）を超えた場合に駐車終了と判定することも可能である。
【０１２７】
なお、車両３０が移動中であると判定する方法は、車速を使用する以外の任意の方法を採用することもできる。例えば、車両３０から受信したデータが示す車両３０の位置の所定期間内の変化が所定値以上であるときに、車両３０は移動中であると判定してもよい。
【０１２８】
その後、携帯端末２０は、ステップＳ１１０６で移動中と判定された日時を駐車終了日時として設定する（ステップＳ１１０７）。
【０１２９】
駐車終了日時特定処理ｂは終了し、その後、サーバ装置１０は、携帯端末２０から駐車終了日時、駐車区画の識別情報及びユーザ情報と共に車両３０の駐車終了指示を受信しする（ステップＳ１１０８）。サーバ装置１０は、ステップＳ１１０８及び図６のＳ２０５で受信した情報に基づいて、車両３０の駐車終了の情報を反映するようにデータベース１１０に記憶された駐車使用情報を更新する（ステップＳ１１０９）。
【０１３０】
その後、サーバ装置１０は、ステップＳ１１０９で更新した駐車終了日時が予約時間内であるか否かを判断する（ステップＳ１１１０）。予約時間内であると判断された場合（ステップＳ１１１０のＹｅｓ）、駐車の終了がサーバ装置１０から携帯端末２０へ通知される（ステップＳ１１１１）。携帯端末２０は、当該通知を表示部２５に表示すること等により、ユーザに通知し（ステップＳ１１１２）、図１５に示す処理は終了する。ステップＳ１１１２では、例えば、上記の通知の例（１０）が表示部２５を介して提示される。
【０１３１】
また、ステップＳ１１１０において、予約時間内であると判断されなかった場合（ステップＳ１１１０のＮｏ）、駐車時間が予約した時間を超過したことがサーバ装置１０から携帯端末２０へ通知される（ステップＳ１１１３）。携帯端末２０は、当該通知を表示部２５に表示すること等により、ユーザに通知し（ステップＳ１１１４）、図１５に示す処理は終了する。ステップＳ１１１４では、例えば、上記の通知の例（１１）が表示部２５を介して提示される。
【０１３２】
以上のように図１５に示した処理によれば、駐車管理システム１は、登録された駐車場予約の内容と、実際駐車された状況（駐車終了日時）との間の乖離を特定することができ、その乖離（すなわち、駐車が予約内容に従っていないこと）をユーザに通知することができる。
【０１３３】
また、図１５に示す処理によれば、駐車管理システム１は、駐車された車両を認識するためにカメラ等の高コストな装置を駐車場に設置しなくとも、車両３０が駐車した駐車場（駐車区画）の位置及び駐車終了日時の情報を特定することができる。その結果、当該情報を使用して低コストで駐車管理を実現することができる。
【０１３４】
また、図１５に示した処理によれば、車両３０から発信される車両信号及び／又は位置情報を使用して、駐車場への駐車終了のタイミングを特定する。車両信号及び位置情報は、車両の状態に応じて自動的に内容が変化するため、図１５に示した処理によれば、ユーザが手動で駐車終了日時を指定する場合と比較して、より正確に駐車終了日時を特定することができる。
【０１３５】
図１４及び図１５の処理では、携帯端末２０が、車両３０から受信したデータに基づいて駐車開始日時及び駐車終了日時の特定処理を実施した。変形例として、サーバ装置１０が、車両３０から受信したデータに基づいて駐車開始日時及び駐車終了日時の特定する処理を実施してもよい。図１６及び図１７にそのような変形例の処理を示す。
【０１３６】
図１６は、サーバ装置１０が、車両３０から受信したデータに基づいて車両３０による駐車場への駐車の開始を判定する処理の例として、駐車開始日時特定処理ｃを示している。駐車開始日時特定処理ｃが有するステップＳ１２０１からＳ１２０７の処理は、携帯端末２０で実施される図１４に示したステップＳ１００１からＳ１００７と同様であるため、説明は省略する。
【０１３７】
図１７は、サーバ装置１０が、車両３０から受信したデータに基づいて車両３０による駐車場への駐車の終了を判定する処理の例として、駐車終了日時特定処理ｃを示している。駐車終了日時特定処理ｃが有するステップＳ１３０１からＳ１３０７の処理は、携帯端末２０で実施される図１５に示したステップＳ１１０１からＳ１１０７と同様であるため、説明は省略する。
【０１３８】
実施例２．２
実施例２．１の処理（図５、図６、図１４及び図１５参照）において、例えば、２次元コードの画像から駐車区画の識別情報を読み取るときに、必要以上に早いタイミングでカメラ２６が起動されると、携帯端末２０は無駄な処理を実施、又は識別情報の誤認識が生じ得る。携帯端末２０の無駄な処理の実施、及び識別情報の誤認識を低減するための処理の例を説明する。
【０１３９】
実施例２．２における駐車場への駐車開始の処理は、図１０の処理のうち、ステップＳ６０１の駐車開始日時特定処理ａを図１４の駐車開始日時特定処理ｂ又は図１６の駐車開始日時特定処理ｃに置換した処理を実施することで実現する。具体的な処理内容は既に説明した処理の組み合わせであるため、ここでは説明を省略する。
【０１４０】
実施例２．２における駐車場への駐車終了の処理は、図１１の処理のうち、ステップＳ７０１の駐車終了日時特定処理ａを図１５の駐車終了日時特定処理ｂ又は図１７の駐車終了日時特定処理ｃに置換した処理を実施することで実現する。具体的な処理内容は既に説明した処理の組み合わせであるため、ここでは説明を省略する。
【０１４１】
実施例２．２の駐車開始の処理によれば、より正確に駐車開始のタイミングが特定された後にカメラ２６が起動されるため、携帯端末２０のカメラ２６による無駄な処理を低減することができる。さらに、不必要なタイミングで撮像が行なわれることによる識別情報の誤認識を低減することができる。また、実施例２．２の駐車終了の処理によれば、カメラ２６により撮像された画像を使用せずに車両３０の駐車終了日時を特定するため、携帯端末２０のカメラ２６による無駄な処理を低減することができ、さらに、識別情報の誤認識の発生を低減することができる。
【０１４２】
実施例２．３
実施例２．１の処理において、カメラ２６で撮像された画像から駐車区画の識別情報の読み取りを行うような場合、ユーザがカメラ２６で２次元コードの撮像を行わない又はカメラ２６が２次元コードを自動で撮像できないことにより、識別情報の読み取れないことがある。このような事象の発生を低減するための処理の例を説明する。
【０１４３】
実施例２．３における駐車場への駐車開始の処理は、図１２の処理のうち、ステップＳ８０１の駐車開始日時特定処理ａを図１４の駐車開始日時特定処理ｂ又は図１６の駐車開始日時特定処理ｃに置換した処理を実施することで実現する。具体的な処理内容は既に説明した処理の組み合わせであるため、ここでは説明を省略する。
【０１４４】
実施例２．３における駐車場への駐車終了の処理は、図１３の処理のうち、ステップＳ９０１の駐車終了日時特定処理ａを図１５の駐車終了日時特定処理ｂ又は図１７の駐車終了日時特定処理ｃに置換した処理を実施することで実現する。具体的な処理内容は既に説明した処理の組み合わせであるため、ここでは説明を省略する。
【０１４５】
実施例２．３の駐車開始の処理によれば、携帯端末２０は、駐車開始日時の特定後、所定時間経過しても駐車開始指示をユーザから受けていない場合、ユーザに対して駐車開始の指示を促す通知を行う。これにより、車両３０の駐車を開始したにも関わらず駐車区画の識別情報が読み取られないという事象の発生を低減することができる。また、実施例２．３の駐車終了の処理によれば、携帯端末２０は、駐車終了日時の特定後、所定時間経過しても駐車終了指示をユーザから受けていない場合、ユーザに対して駐車終了の指示を促す通知を行う。これにより、車両３０の駐車を終了したにも関わらず駐車区画の識別情報が読み取られないという事象の発生を低減することができる。
【０１４６】
３．３  実施例３
実施例３は、図１に示した駐車管理システム１の構成のうち、サーバ装置１０及び車両３０の処理により駐車管理を行う実施例である。
【０１４７】
実施例３の処理は、実施例１．３で説明した処理において、携帯端末２０が実施していた処理を車両３０が実施することにより実現される。このとき、車両３０は携帯端末２０と同様の構成を備える。
【０１４８】
実施例３の駐車開始の処理によれば、実施例１．３と同様に、より正確に駐車開始のタイミングが特定された後に車両３０に搭載されたカメラが自動で起動され、撮像するため、カメラによる無駄な処理を低減することができる。さらに、不必要なタイミングで撮像が行なわれることによる識別情報の誤認識を低減することができる。また、実施例３の駐車終了の処理によれば、車両３０のカメラにより撮像される画像を使用せずに車両３０の駐車終了日時を特定するため、カメラによる無駄な処理を低減することができ、さらに、識別情報の誤認識の発生を低減することができる。
【０１４９】
３．４  その他の実施例
以上、図面を参照しながら本発明の実施形態について説明したが、本発明の範囲はかかる実施形態に限定されない。当業者であれば、特許請求の範囲に記載された思想の範疇内において、各種の変更例または修正例に想到し得ることは明らかであり、それらについても当然に本発明の技術的範囲に属する。
【０１５０】
また、上記の実施形態に記載の処理を実行可能なプログラムを本発明として特定することができる。本発明のプログラムは、ＣＤ−ＲＯＭ等の光学ディスク、磁気ディスク、半導体メモリなどの各種の記録媒体に記憶することができる。また、当該記録媒体を通じて、又は通信ネットワークなどを介してダウンロードすることにより、プログラムをコンピュータにインストール又はロードすることができる。
【符号の説明】
【０１５１】
１０  サーバ装置
１１  制御部
１１ａ  ＣＰＵ
１１ｂ  メモリ
１２  通信部
１３  記憶部
２０  携帯端末
２１  制御部
２２  通信部
２３  記憶部
２４  操作部
２５  表示部
２６  カメラ
２７  センサ
２８  マイク
【図１】
2018160190.tif 000003
【図２】
2018160190.tif 000004
【図３】
2018160190.tif 000005
【図４】
2018160190.tif 000006
【図５】
2018160190.tif 000007
【図６】
2018160190.tif 000008
【図７】
2018160190.tif 000009
【図８】
2018160190.tif 000010
【図９】
2018160190.tif 000011
【図１０】
2018160190.tif 000012
【図１１】
2018160190.tif 000013
【図１２】
2018160190.tif 000014
【図１３】
2018160190.tif 000015
【図１４】
2018160190.tif 000016
【図１５】
2018160190.tif 000017
【図１６】
2018160190.tif 000018
【図１７】
2018160190.tif 000019